【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
第１のシステムおよび第２のシステムと通信するようにそれぞれ構成された第１の無線端末および第２の無線端末の間にハンドオフ（ＨＯ）を提供する方法であって、前記第１の端末は前記第２の端末と異なっており、前記第１のシステムは前記第２のシステムと異なる技術標準を採用し、それぞれ異なるＩＰアドレスで識別されており、
ａ）  前記第１の端末が前記第１のシステムとの現在のセッションの中に、前記第２の端末へのハンドオフ要求を開始するステップと、
ｂ）  前記第１の端末に対して、前記第２の端末が稼働中であり前記第２のシステムに接続されていることを確認するように警告するステップと、
ｃ）  前記第１のシステムは接続情報を有しているかどうかを問い合わせるステップと、
ｄ）  前記接続情報から前記第２の端末のＩＰアドレスを取得するステップと、
ｅ）  前記第２の端末のＩＰアドレスの確認を受信したことに応答して、前記現在のセッションの前記第１の端末から前記第２の端末へのリルーティングを開始するステップと、
を備えることを特徴とする方法。
【請求項２】
第２の端末の前記ＩＰアドレスを取得する前記ステップは、前記ＩＰアドレスが存在するかどうかを確認するステップをさらに備えることを特徴とする請求項１に記載の方法。
【請求項３】
前記接続情報を取得するステップは、前記第１のシステムが前記接続情報を有していない場合に、前記接続情報を加入者から取得するステップをさらに備えることを特徴とする請求項１に記載の方法。
【請求項４】
前記接続情報を要求するステップは、前記第２のシステムにおいて使用するシステムＩＤ、端末ＩＤ、およびＩＰアドレスを取得するステップを備えることを特徴とする請求項１に記載の方法。
【請求項５】
前記第１の端末と前記第２の端末は、個別の独立したエンティティであることを特徴とする請求項１に記載の方法。
【請求項６】
前記第１の端末と前記第２の端末は、共通の筺体に収納された論理エンティティであることを特徴とする請求項５に記載の方法。
【請求項７】
第１のシステムおよび第２のシステムと通信するようにそれぞれ構成された第１の無線端末および第２の無線端末の間にハンドオフ（ＨＯ）を提供する方法であって、前記第１の端末は前記第２の端末と異なっており、前記第１のシステムは前記第２のシステムと異なる技術標準を採用し、それぞれ異なるＩＰアドレスによって識別されており、
ａ）  前記第１の端末が前記第１のシステムとの現在のセッションの間に前記第２の端末へのＨＯ要求を開始するステップと、
ｂ）  前記第１の端末に対して、前記第２の端末が稼働中であり前記第２のシステムに接続されていることを確認するように警告するステップと、
ｃ）  前記第１のシステムに接続情報が存在するかどうかを問い合わせるステップと、
ｄ）  前記接続情報から前記第２の端末のＩＰアドレス取得するステップと、
ｅ）  前記第２の端末の前記ＩＰアドレスの受信を確認するステップと、
ｆ）  前記ステップ（ｅ）の前記確認が受信されない場合に、前記第２の端末を起動して確認するように指示するステップと、
ｇ）  前記ステップ（ｆ）で要求した前記確認を受信したことに応答して、ステップ（ａ）から（ｅ）を繰り返すステップと、
ｈ）  前記第２の端末のＩＰアドレスの確認を受信したことに応答して、前記第１の端末から前記第２の端末へ切り替えるステップと、
を備えることを特徴とする方法。
【請求項８】
前記ステップ（ｆ）で要求した前記確認が受信されない場合に、前記ハンドオフ手順を中止するステップをさらに備えることを特徴とする請求項７に記載の方法。
【請求項９】
前記ステップ（ｅ）の繰り返し実行中に確認が受信されない場合に、前記ハンドオフ手順を中止するステップをさらに備えることを特徴とする請求項８に記載の方法。
【請求項１０】
第１のシステムおよび第２のシステムと通信するようにそれぞれ構成された第１の無線端末および第２の無線端末の間にハンドオフ（ＨＯ）を提供する方法であって、前記第１の端末は前記第２の端末と異なり、前記第１のシステムは前記第２のシステムと異なる技術標準を採用し、それぞれ異なるＩＰアドレスによって識別されており、
ａ）  前記第１の端末が前記第１のシステムとの現在のセッションの間に前記第２の端末へのハンドオフ要求を開始するステップと、
ｂ）  前記第１の端末に対して、前記第２の端末が稼働中であり前記第２のシステムに接続されていることを確認するように警告するステップと、
ｃ）  前記第１のシステムに接続情報が存在するかどうかを問い合わせるステップと、
ｄ）  前記第１のシステムのＨＳＳ（ｈｏｍｅ  ｓｕｂｓｃｒｉｂｅｒ  ｓｅｒｖｅｒ）に接続するステップと、
ｅ）  前記第２の端末が稼働中であることが確認されたことに応答して、前記第２の端末のＩＰアドレスを取得するステップと、
ｆ）  リルーティングプロセスを実行するステップと、
を備えることを特徴とする方法。
【請求項１１】
前記接続情報を取得するステップは、前記第１のシステムは前記接続情報を有しない場合に、前記接続情報を加入者から取得するステップをさらに備えることを特徴とする請求項１０に記載の方法。
【請求項１２】
前記接続情報を要求するステップは、前記第２のシステムで使用するシステムＩＤ、端末ＩＤ、およびＩＰアドレスを取得するステップを備えることを特徴とする請求項１０に記載の方法。
【請求項１３】
前記第１の端末と前記第２の端末は個別の独立したエンティティであることを特徴とする請求項１１に記載の方法。
【請求項１４】
前記第１の端末と前記第２の端末は、共通の筺体に収納された論理エンティティであることを特徴とする請求項１２に記載の方法。
【請求項１５】
第１のシステムおよび第２のシステムと通信するようにそれぞれ構成された第１の無線端末および第２の無線端末の間にハンドオフ（ＨＯ）を提供する方法であって、前記第１の端末は前記第２の端末と異なり、前記第１のシステムは前記第２のシステムと異なる技術標準を採用しており、それぞれ異なるＩＰアドレスによって識別されており、
ａ）  前記第１の端末が前記第１のシステムとの現在のセッションの間に前記第２の端末へのハンドオフ要求を開始するステップと
ｂ）  前記第１の端末に対して、前記第２の端末が稼働中であり前記第２のシステムに接続されていることを確認するように警告するステップと、
ｃ）  前記第１のシステムは接続情報を有するかどうかを問い合わせるステップと、
ｄ）  前記第１のシステムのｈｏｍｅ  ｓｕｂｓｃｒｉｂｅｒ  ｓｅｒｖｅｒ  （ＨＳＳ）に接続するステップと、
ｅ）  前記第２の端末が稼働中であることが確認されたことに応答して、第２の端末のＩＰアドレスを取得するステップと、
ｆ）  前記ステップ（ｅ）の確認が受信されない場合に、前記第２の端末を起動して確認するように指示するステップと、
ｇ）  前記ステップ（ｆ）で要求した前記確認を受信したことに応答して、ステップ（ａ）から（ｅ）を繰り返すステップと、
ｈ）  前記第２の端末のＩＰアドレスの確認を受信したことに応答して、前記第１の端末から前記第２の端末へ切り替えるステップと、
を備えることを特徴とする方法。
【請求項１６】
前記ステップ（ｆ）で要求した前記確認が受信されない場合に、前記ハンドオフ手順を中止するステップをさらに備えることを特徴とする請求項１５に記載の方法。
【請求項１７】
前記ステップ（ｅ）の繰り返し実行中に確認が受信されない場合に、前記ハンドオフ手順を中止するステップをさらに備えることを特徴とする請求項１５に記載の方法。  
【手続補正２】
【補正対象書類名】図面
【補正対象項目名】図９
【補正方法】変更
【補正の内容】
【図９】
2005537765.tif 000001